(57)【要約】【課題】物干装置のベースが容易に上方へ移動しないように改良することを課題とする。【解決手段】物干装置のベース１を、ベース座２の前面からあてがい、ベース１上部の外止具６の両側の側板２６・２６とベース１の両側の側板１８・１８との間の締付ねじ８・８がベース座２の上端面を通過すると共に、ベース１下部の外止具７の両側の側板２９・２９とベース１の両側の側板１８・１８との間の締付ねじ１０・１０がベース座２の切欠部２１・２１を通過するようにし、締付ねじ８・８を受部２４・２４の上方に、締付ねじ１０・１０を受部２２・２２の上方にそれぞれ位置させ、ベース１を下方へ移動し、締付ねじ８・８を受部２４・２４に当接させると共に、締付ねじ１０・１０を受部２２・２２に当接させ、締付ねじ８・８及び締付ねじ１０・１０を締め付けて取り付ける。すると、締付ねじ１０・１０の先端部が、抜止部３７の下面に進出する。【選択図】図２
2015208587.tif 000002
【特許請求の範囲】
【請求項１】
ベースを有する物干装置を、被取付体に固定したベース座に取り付ける物干装置の取付装置において、ベース座は、底板の両側から側板を立ち上げた横断面略コ字状で、両側の側板は、相対向する先端縁に開口する切欠部を設けると共に、その下部に切欠部と連続する略Ｕ字状の受部を設けて成り、底板には、両側板の間に前方に突出するように抜止部を設けて成り、抜止部は、両側板からそれぞれ間隔をおいて、なおかつ、その上下位置は、受部の底部より上部に位置するように成し、ベースは、底板の両側から側板を立ち上げた横断面略コ字状の取付部を有し、ベースに取り付けられる外止具は、底板の両側から側板を立ち上げた横断面略コ字状で、ベースの底板の内部に、外止具の底板を取り付けて、外止具の両側の側板外面とベースの両側の側板内面との間に隙間を設けるように成し、ベースの両側の側板から締付ねじを挿通して、外止具の両側の側板に設けたねじ孔に螺合し、締付ねじを締め付けることによって外止具の両側の側板を変形させ得るように構成し、被取付体に固定したベース座に、外止具を取り付けたベースを被せるようにしてあてがい、予め外止具に螺合してある締付ねじを、ベース座の切欠部から挿入して下方へ移動させ受部に当接させると共に、両側の隙間にベース座の両側の側板を位置するように成し、締付ねじを締め付けることによって外止具の両側の側板を変形させて、ベース座の両側の側板に圧接させると共に、締付ねじの先端部を抜止部の下方に位置させてベースを固定し、ベースは、締付ねじの先端部が抜止部に当接して上方への移動を阻止されるように構成されていることを特徴とする物干装置の取付装置。
【発明の詳細な説明】
【技術分野】
【０００１】
本発明は、ベランダ手摺や建物壁面等の被取付体に物干装置を取り付けるための物干装置の取付装置に関するものである。
【背景技術】
【０００２】
従来より、被取付体に物干装置を取り付けるための物干装置の取付装置として、特開２０１２−２３９７３０号発明のように、物干装置のベースを、ベース座の前面から被せるようにあてがい、ベース上部の外止具の両側の側板とベースの両側の側板との間の上部締付ねじがベース座の上端面を通過すると共に、ベース下部の外止具の両側の側板とベースの両側の側板との間の下部締付ねじがベース座の切欠部を通過するようにし、上部締付ねじを上部の受部の上方に、下部締付ねじを下部の受部の上方にそれぞれ位置させ、ベースを下方へ移動し、それぞれ締付ねじを受部に当接させ、締め付けて取り付けるものは存在する。
【先行技術文献】
【特許文献】
【０００３】
【特許文献１】特開２０１２−２３９７３０号公報
【発明の概要】
【発明が解決しようとする課題】
【０００４】
上記従来例においては、物干装置のベースを上方へ移動させる力は、上下部外止具の両側の側板と、ベースの両側の側板とで、ベース座の両側の側板を挟んでいる摩擦力で受け止めるので、竿受部に通した物干竿を上方へ持ち上げる時等に、物干装置を上方へ移動させる大きな力がかかった時には、物干装置のベースが上方へ移動してしまうことがあり、強固な取付状態を得られないという問題があり、さらには、最悪の場合には、締付ねじが受部から外れて、物干装置がベース座から外れ落ちてしまう危険性もある。そこで、本発明は、物干装置のベースが容易に上方へ移動しないように改良することを課題としている。
【課題を解決するための手段】
【０００５】
本発明は上記の問題を解決するために、ベースを有する物干装置を、被取付体に固定したベース座に取り付ける物干装置の取付装置において、ベース座は、底板の両側から側板を立ち上げた横断面略コ字状で、両側の側板は、相対向する先端縁に開口する切欠部を設けると共に、その下部に切欠部と連続する略Ｕ字状の受部を設けて成り、底板には、両側板の間に前方に突出するように抜止部を設けて成り、抜止部は、両側板からそれぞれ間隔をおいて、なおかつ、その上下位置は、受部の底部より上部に位置するように成し、ベースは、底板の両側から側板を立ち上げた横断面略コ字状の取付部を有し、ベースに取り付けられる外止具は、底板の両側から側板を立ち上げた横断面略コ字状で、ベースの底板の内部に、外止具の底板を取り付けて、外止具の両側の側板外面とベースの両側の側板内面との間に隙間を設けるように成し、ベースの両側の側板から締付ねじを挿通して、外止具の両側の側板に設けたねじ孔に螺合し、締付ねじを締め付けることによって外止具の両側の側板を変形させ得るように構成し、被取付体に固定したベース座に、外止具を取り付けたベースを被せるようにしてあてがい、予め外止具に螺合してある締付ねじを、ベース座の切欠部から挿入して下方へ移動させ受部に当接させると共に、両側の隙間にベース座の両側の側板を位置するように成し、締付ねじを締め付けることによって外止具の両側の側板を変形させて、ベース座の両側の側板に圧接させると共に、締付ねじの先端部を抜止部の下方に位置させてベースを固定し、ベースは、締付ねじの先端部が抜止部に当接して上方への移動を阻止されるように構成されていることを特徴とするものである。
【発明の効果】
【０００６】
以上のように本発明によれば、予め外止具に螺合してある締付ねじを締め付けることによって外止具の両側の側板を変形させて、ベース座の両側の側板に押し付けてベースを固定するように構成したので、物干装置の取付の手間が簡略化されると共に、締付ねじを落下させて紛失してしまうという心配がなく、コスト低減や施工性の向上に資することができ、なおかつ、ベースが上方に移動する大きな力が加わると、締付ねじの先端部が抜止部に当接するので、ベースの上方への移動を確実に阻止することができるという効果がある。
【０００７】
また、締付ねじを外さずに緩めるだけで、物干装置を取り外すことができるので、物干装置を着脱するいずれの場合にも、締付ねじを落下させる心配がないという効果もある。
【図面の簡単な説明】
【０００８】
【図１】使用状態を示す全体側面図である。
【図２】ベースとベース座が離れている状態を示す分解斜視図である。
【図３】ベースとベース座が離れている状態を示す縦断面図である。
【図４】ベースをベース座に被せるようにしてあてがった状態を示す縦断面図である。
【図５】図４の状態からベースを下方へ移動して、締付ねじが受部の底部に当接している状態を示す縦断面図である。
【図６】図５のＡ−Ａ線拡大断面図（締付ねじを締め付けていない状態）である。
【図７】図６の状態から締付ねじを締め付けた状態の横断面図である。
【図８】図５のＢ−Ｂ線拡大断面図（締付ねじを締め付けていない状態）である。ベースの取付に不要な部材は省略している。
【図９】図８の状態から締付ねじを締め付けた状態の横断面図である。ベースの取付に不要な部材は省略している
【図１０】ベース部分の分解斜視図である。
【実施例１】
【０００９】
本発明は、ベランダ手摺Ｔに固着ねじ１５・１５で固着されるベース座２に物干装置のベース１を取り付ける物干装置の取付装置に関するものであり、物干装置は、ベース１に支柱３を摺動可能に取り付け、さらに支柱３上端部に固定した支持具４に、竿受部３５・・・３５を設けた腕杆５を回動可能かつ摺動可能に取り付けて成るものである。なお、物干装置の詳細な構造については、説明を省略する。
【００１０】
ベース１は、押し出し材で、前部に両側外方に突出する被抱持突条３３・３３を設け、後部にベース座２への取付部１６を設けてある。取付部１６は、横断面略コ字状で、底板１７の両側から側板１８・１８をそれぞれ外側に傾斜させて立ち上げて構成されている。
【００１１】
ベース１の上部に取り付けられる外止具６は、横断面略コ字状の短い部材で、底板２５の両側から側板２６・２６をそれぞれ外側に傾斜させて立ち上げ、両側の側板２６・２６には、それぞれねじ孔２７・２７を設けてある。ベース１の下部に取り付けられる外止具７も、同じく、横断面略コ字状の短い部材で、底板２８の両側から側板２９・２９をそれぞれ外側に傾斜させて立ち上げ、両側の側板２９・２９には、それぞれねじ孔３０・３０を設けてある。
【００１２】
ベース１の上端部にベース上キャップ１２を被せ、外止具６を、ベース１の上部に、両側の側板２６・２６の外側面とベース１の両側の側板１８・１８の内側面との間に隙間３１・３１を設けて、底板２５をベース１の底板１７に固定ねじ９でベース上キャップ１２と共に固定する。また同じく、ベース１の下端部にベース下キャップ１３を被せ、外止具７を、ベース１の下部に、両側の側板２９・２９の外側面とベース１の両側の側板１８・１８の内側面との間に隙間３２・３２を設けて、底板２８をベース１の底板１７に固定ねじ１１でベース下キャップ１３と共に固定する。
【００１３】
そして、ベース１の上端部においては、ベース上キャップ１２の両外側から、締付ねじ８・８をねじ孔２７・２７に螺合し、ベース１の下端部においては、ベース下キャップ１３の両外側から、締付ねじ１０・１０をねじ孔３０・３０に螺合しておく。
【００１４】
その後、ベース１の被抱持突条３３・３３を支柱３の抱持溝３４・３４で抱持させて支柱３をベース１にスライド可能に取り付け、支柱下キャップ１４を固定して物干装置が組み立てられる。
【００１５】
ベース座２は、押し出し材で、横断面略コ字状で、底板１９の両側から側板２０・２０をそれぞれ内側に傾斜させて立ち上げて構成されており、底板１９には、上下部に被取付体への固着用孔３６・３６を設け、両側の側板２０・２０には、上端部に上方に開口するＵ字状に切り欠いた受部２４・２４を設け、下部に前方に開口する切欠部２１・２１を設けると共に、切欠部２１・２１に連続して上方に開口するＵ字状の受部２２・２２を設けてある。さらに、切欠部２１・２１の上面には下方に突出し内方に折り曲げた当接部２３・２３を設けてある。
【００１６】
そして、底板１９の下端部には、両側板２０・２０の間に前方に突出するように抜止部３７を設けて成り、この抜止部３７は、両側板２０・２０からそれぞれ間隔をおいて、かつ、その上下位置は、受部２２・２２の底部より上部に位置するように成し、抜止部３７の下面に締付ねじ１０・１０が進出できるように構成する。抜止部３７の前縁面は、固定ねじ１１の頭部を避けるために円弧状に切り欠いてある。なお、上端部の受部２４・２４は必ずしも必要なものではないし、また、切欠部２１・２１及び受部２２・２２を複数設けてもいいものである。
【００１７】
ベース座２を被取付体であるベランダ手摺Ｔに固着ねじ１５・１５で固着し、組み立てられた物干装置のベース１を、ベース座２の前面から被せるようにあてがい、ベース１上部の外止具６の両側の側板２６・２６とベース１の両側の側板１８・１８との間の締付ねじ８・８がベース座２の上端面を通過すると共に、ベース１下部の外止具７の両側の側板２９・２９とベース１の両側の側板１８・１８との間の締付ねじ１０・１０がベース座２の切欠部２１・２１を通過するようにし、締付ねじ８・８を受部２４・２４の上方に、締付ねじ１０・１０を受部２２・２２の上方にそれぞれ位置させる（図４参照）。
【００１８】
そして、そのままベース１を下方へ移動させ、締付ねじ８・８を受部２４・２４の底部に当接させると共に、締付ねじ１０・１０を受部２２・２２の底部に当接させ（図５及び図６参照）、締付ねじ８・８及び締付ねじ１０・１０を締め付けることによって、外止具６の両側の側板２６・２６及び外止具７の両側の側板２９・２９を変形させ、ベース座２の両側の側板２０・２０に圧接させると、外止具６の両側の側板２６・２６及び外止具７の両側の側板２９・２９と、ベース１の両側の側板１８・１８とで、ベース座２の両側の側板２０・２０を挟んで、なおかつ、締付ねじ１０・１０の先端部が、抜止部３７の下方まで進出し、ベース１がベース座２に取り付けられる。
【００１９】
ベース１は、上方に移動する力がかかった場合、外止具６の両側の側板２６・２６及び外止具７の両側の側板２９・２９と、ベース１の両側の側板１８・１８とで、ベース座２の両側の側板２０・２０を挟んでいる摩擦力で受け止めるが、摩擦力で受け止められないほど大きな力がかかると、締付ねじ１０・１０の先端部が、抜止部３７の下面に当接して、ベース１は上方への移動が阻止される。
【００２０】
また、締付ねじ８・８及び締付ねじ１０・１０を緩め、下部の締付ねじ１０・１０の先端部を抜止具３７の下方から外れた位置まで後退させ、下部の外止具７の両側の側板２９・２９が当接部２３・２３に当接するまで、物干装置のベース１を上方へ移動させてから、前方へ移動させれば、上部の締付ねじ８・８はベース座２の上方を、下部の締付ねじ１０・１０はベース座２の切欠部２１・２１を、それぞれ通過して、物干装置のベース１をベース座２から取り外すことができる。
【００２１】
当接部２３・２３がないと、下部の締付ねじ１０・１０が切欠部２１・２１の上端面に当接するまで、ベース１が上方へ移動してしまい、その状態から前方へ移動させると、外止具７の両側の側板２９・２９の上部の外面がベース座２の両側の側板２０・２０の内側面に接触し、取り外すことができない。
【００２２】
なお、本発明は、物干装置の取付装置に関するものであり、物干装置は、本実施例のものに限定されるものではなく、種々の物干装置に適用できるものであり、例えば、ベースに腕杆を回動可能かつ摺動可能に取り付けたものや、ベースが腕杆と一体になったものでもよい。
【符号の説明】
【００２３】
１    ベース
２    ベース座
７    外止具
１０    締付ねじ
１７    底板
１８    側板
１９    底板
２０    側板
２１    切欠部
２２    受部
２８    底板
２９    側板
３０    ねじ孔
３２    隙間
３７    抜止部
【図１】
2015208587.tif 000003
【図２】
2015208587.tif 000004
【図３】
2015208587.tif 000005
【図４】
2015208587.tif 000006
【図５】
2015208587.tif 000007
【図６】
2015208587.tif 000008
【図７】
2015208587.tif 000009
【図８】
2015208587.tif 000010
【図９】
2015208587.tif 000011
【図１０】
2015208587.tif 000012